(57)【要約】【課題】  装置本体の大きさを小さくしつつ、排紙された用紙の視認性、取り出し性、原稿の取り扱い性等の操作性の良い画像記録装置を提供する。【解決手段】  プリンター上部にリーダーを配置してＭＦＰにおいて、原稿の取り扱いと排紙用紙の取り扱い、両方の操作性の向上を目的として、リーダーを開閉可能にし、リーダー下部に排紙切り替え手段を設け、プリンター上面とリーダー上面に記録済み用紙の排紙先を切り替える。【選択図】  図１
2006151618.tif 000002
【特許請求の範囲】
【請求項１】
用紙に画像を形成する画像形成手段を備えた画像形成部と、
画像形成部の上方に、原稿を読み取る画像読み取り手段を備えた画像読み取り部を設けた画像形成装置において、
画像読み取り部を、画像形成部に対して移動可能な構成とすると共に、
画像形成部の上面に設けられた第一の記録用紙積載手段と、
画像読み取り部の上部に設けられた第二の記録用紙積載手段と、
画像形成部において画像形成した記録用紙を、画像形成部の上面に設けられた記録用紙積載手段と画像読み取り部の上部に設けられた記録用紙積載手段とに選択的に積載する切り替え手段とを、
設けたことを特徴とする画像形成装置。
【請求項２】
上記切り替え手段は、画像読み取り部の下部に設けられた用紙搬送手段であることと特徴とする、請求項１に記載の画像形成装置。
【請求項３】
上記切り替え手段は、画像読み取り部を移動する移動手段であり、画像形成部の排出部に対して、画像形成部の上面に設けられた第一の記録用紙積載手段と画像読み取り部の上部に設けられた第二の記録用紙積載手段とを選択的に配置することで、記録用紙を選択的に積載することを特徴とする請求項1に記載に画像形成装置。
【請求項４】
上記画像読み取り手段で画像データ読み取りつつ、画像記録部で記録を行う場合は、画像形成部の上面に設けられた第一の記録用紙積載手段に用紙を排出積載し、画像読み取り手段で画像データを読み取る動作を行わずに画像記録部で画像記録を行う場合には、画像読み取り部の上部に設けられた第二の記録用紙積載手段に用紙を排出積載することを特徴とする、請求項１から３に記載の画像形成装置。
【発明の詳細な説明】
【技術分野】
【０００１】
本発明は、画像形成手段も備えた画像形成部の上面に画像読み取り手段を備えた画像読み取り部を配置した画像形成装置に関するものである。
【背景技術】
【０００２】
従来、小型の画像形成部の上面に画像読み取り部を配置し、プリンター機能、コピー機能、ファクシミリ機能等、複数の機能を一つの装置で行うことの出来るマルチファンクション（以下MFP）機能を備えた画像形成装置が、近年普及してきている。
【０００３】
図６で示すよう、このような小型MFP機能をもったプリンター部（画像形成部）３０は、用紙を積載したカセット１７から用紙Ｐを搬送し、イエロー、マゼンタ、シアン、ブラックのトナーによる画像を1Ｙ、1Ｍ、1Ｃ、1Ｂｋの各プロセスキットで感光体ドラム2ａ、2ｂ、2ｃ、2ｄ上に形成し、そのトナー像を中間転写ベルト８に転写させフルカラーのトナー像を二次転写ローラ１２によって用紙に転写させ、定着器１６によってトナーを加圧、加熱して、用紙への画像記録を行い、プリンター部上面に設けられた排紙トレイ２２上に排紙積載する構成になっている。
【０００４】
原稿を読み込むリーダー部（画像読み込み部）４０は、プリンター部３０の上部に排紙トレイ２２上に積載されたシート材を取り出すのに必要な空間Ｓ保った位置に配置し、記録済み用紙の取り出し性と、読み取る原稿の積置性を両立している。
【０００５】
又、別の従来例としては、例えば特許文献１と特許文献２をあげることが出来る。
【特許文献１】特開2003-118918号公報
【特許文献２】特開平10-051579号公報
【発明の開示】
【発明が解決しようとする課題】
【０００６】
しかしながら、このような構成において、プリンター部の上面の排紙トレイの上部にリーダー部が配置されているために、排紙された記録済み用紙を取り出すためには、プリンター部上部とリーダー部下部の間の空間Sを充分に確保して、排紙された用紙を目視出来ると共に、操作者が手を入れて用紙を取り出すことが出来るようにする必要があり、プリンター部とリーダー部を合わせた画像記録装置の高さが大きくなってしまい、リーダー部の原稿読み取り面の高さも高くなり、原稿の取り扱い性等の操作性が悪くなるという欠点が有った。
【０００７】
本発明では、上記問題を解決し、装置本体の大きさを小さくしつつ、排紙された用紙の視認性、取り出し性、原稿の取り扱い性等の操作性の良い画像記録装置を提供するものである。
【課題を解決するための手段】
【０００８】
用紙に画像を形成する画像形成手段を備えた画像形成部と、画像形成部の上方に、原稿を読み取る画像読み取り手段を備えた画像読み取り部を設けた画像形成装置において、画像読み取り部を、画像形成部に対して移動可能な構成とすると共に、画像形成部の上面に設けられた第一の記録用紙積載手段と、画像読み取り部の上部に設けられた第二の記録用紙積載手段と、画像形成部において画像形成した記録用紙を、画像形成部の上面に設けられた記録用紙積載手段と画像読み取り部の上部に設けられた記録用紙積載手段とに選択的に積載する切り替え手段とを、設けた。
【発明の効果】
【０００９】
以上説明したように、画像読み取り部を、画像形成部に対して移動可能な構成とすると共に、画像形成部の上面に設けられた第一の記録用紙積載手段と、画像読み取り部の上部に設けられた第二の記録用紙積載手段と、画像形成部において画像形成した記録用紙を、画像形成部の上面に設けられた記録用紙積載手段と画像読み取り部の上部に設けられた記録用紙積載手段とに選択的に積載する切り替え手段を設けたことにより、操作性に優れかつ省スペースな画像形成装置を提供することが出来た。
【００１０】
また、切り替え手段を、画像読み取り部の下部に設けられた用紙搬送手段とすることで、記録用紙の取り扱い性に優れかつ省スペースな画像形成装置を提供することが出来た。
【００１１】
また、切り替え手段が、画像読み取り部を移動する移動手段であり、画像形成部の排出部に対して、画像形成部の上面に設けられた第一の記録用紙積載手段と画像読み取り部の上部に設けられた第二の記録用紙積載手段とを選択的に配置することで、記録用紙を選択的に積載することにより、操作性に優れ省スペースな画像形成装置を提供することが出来た。
【００１２】
また、画像読み取り手段で画像データ読み取りつつ、画像記録部で記録を行う場合に、画像形成部の上面に設けられた第一の記録用紙積載手段に用紙を排出積載し、画像読み取り手段で画像データを読み取る動作を行わずに画像記録部で画像記録を行う場合には、画像読み取り部の上部に設けられた第二の記録用紙積載手段に用紙を排出積載することにより、どちらの場合においても操作性の優れた画像形成装置を提供することが出来た。
【発明を実施するための最良の形態】
【００１３】
（実施例1）
以下、図面に示す実施例に基づいて本発明を説明する。
【００１４】
図１は、本発明を実施した画像形成装置のプリンターとして動作する場合の状態を示す要部断面図である。図２は、本発明を実施した画像形成装置において、複写機として動作するときの要部断面図。図３は、本発明を実施した画像形成装置のリーダー部を開放した状態の要部断面図である。
【００１５】
本発明の画像形成部であるプリンター部３０は、電子写真方式で中間転写体を有するフルカラー画像形成装置であり、原稿読み取り部であるリーダー部４０は、ラインセンサータイプの読取手段を原稿に沿って移動させて原稿を読み取る画像読み取り装置であり、この二つを組み合わせることによりプリンター機能、コピー機能、ファクシミリ機能などの複数の機能を行うことの出来るマルチファンクション装置となっている。
【００１６】
また本画像形成装置は、図１、図２における右側を装置の正面として、用紙カセット１７の着脱、手差しトレイ２０への用紙積載等を装置正面側から行えるように構成している。
【００１７】
図１、図２で示すよう、プリンター部３０は、イエロー色の画像を形成するプロセスキット１Ｙと、マゼンタ色の画像を形成するプロセスキット１Ｍと、シアン色の画像を形成するプロセスキット１Ｃと、ブラック色の画像を形成するプロセスキット１Ｂｋの４つのプロセスキット（画像形成ユニット）を備えており、これら４つのプロセスキット１Ｙ，１Ｍ，１Ｃ，１Ｂｋは一定の間隔において装置前後方向に一列に着脱可能に配置される。
【００１８】
各プロセスキット１Ｙ，１Ｍ，１Ｃ，１Ｂｋには、それぞれ像担持体としてのドラム型の電子写真感光体（以下、感光ドラムという）２ａ，２ｂ，２ｃ，２ｄが設置されている。各感光ドラム２ａ，２ｂ，２ｃ，２ｄの周囲には、一次帯電器３ａ，３ｂ，３ｃ，３ｄ、現像器４ａ，４ｂ，４ｃ，４ｄ、転写手段としての転写ローラ５ａ，５ｂ，５ｃ，５ｄ、ドラムクリーナ装置６ａ、６ｂ、６ｃ、６ｄがそれぞれ配置されており、一次帯電器３ａ，３ｂ，３ｃ，３ｄと現像器４a，４ｂ，４ｃ，４ｄ間の下方にはレーザー露光装置７が設置されている。
【００１９】
各現像器４ａ，４ｂ，４ｃ，４ｄには、それぞれイエロートナー、シアントナー、マゼンタトナー、ブラックトナーが収納されている。
【００２０】
各感光ドラム２ａ，２ｂ，２ｃ，２ｄは、負帯電のＯＰＣ感光体でアルミニウム製のドラム基体上に光導電層を有しており、駆動装置（不図示）によって矢印方向（図１における時計回り方向）に所定のプロセススピードで回転駆動される。
【００２１】
一次帯電手段としての一次帯電器３ａ，３ｂ，３ｃ，３ｄは、帯電バイアス電源（不図示）から印加される帯電バイアスによって各感光ドラム２ａ，２ｂ，２ｃ，２ｄ表面を負極性の所定電位に均一に帯電する。
【００２２】
現像器４ａ，４ｂ，４ｃ，４ｄは、トナーを内臓し、それぞれ各感光ドラム２ａ，２ｂ，２ｃ，２ｄ上に形成される各静電潜像に各色のトナーを付着させてトナー像として現像（可視像化）する。
【００２３】
転写手段としての転写ローラ５ａ，５ｂ，５ｃ，５ｄは、各一次転写ニップ部にて中間転写ベルト８を介して各感光ドラム２ａ，２ｂ，２ｃ，２ｄに当接している。
【００２４】
ドラムクリーナ装置６ａ、６ｂ、６ｃ、６ｄは、感光体ドラム上で一次転写時の残留した残留トナーを、感光体から除去するためのクリーニングブレード等で構成されている。
【００２５】
中間転写ベルト８は、転写枠３６に設けられている駆動ローラ９、二次転写対向ローラ１０、テンションローラ１１間に張架されて、駆動ローラ９の駆動によって矢印Ａ方向（図１における反時計回り方向）に回転（移動）される。中間転写ベルト８は、ポリカーボネート、ポリエチレンテレフタレート樹脂フィルム、ポリフッ化ビニリデン樹脂フィルム等のような誘電体樹脂によって構成されている。
【００２６】
二次転写対向ローラ１０は、中間転写ベルト８を介して二次転写ローラ１２と当接して、二次転写部を形成している。中間転写ベルト８の外側でテンションローラ１１近傍には、中間転写ベルト８表面に残った転写残トナーを除去して回収するベルトクリーニング装置１３が設置されている。
【００２７】
また、二次転写部の被転写材である記録用紙Ｐの搬送方向下流側には、定着ローラ１６ａと加圧ローラ１６ｂを有する定着装置１６が設置されている。
【００２８】
定着装置１6と二次転写ローラ１２、レジストローラ対１９の一方、および搬送路１８の一部は、前扉ユニット３２に保持され記録紙のＪＡＭ処理時等には、一体で開放可能に構成されている。
【００２９】
露光装置７は、与えられる画像情報の時系列電気デジタル画素信号に対応した発光を行うレーザー発光手段と、ポリゴンレンズ、反射ミラー等で構成され、各感光ドラム２ａ、２ｂ、２ｃ、２ｄに露光をすることによって、各一次帯電器３ａ，３ｂ，３ｃ，３ｄで帯電された各感光ドラム２ａ，２ｂ，２ｃ，２ｄ表面に画像情報に応じた各色の静電潜像を形成する。
【００３０】
画像形成部であるプリンター部の上面に設けられた第一の記録用紙積載手段である中央部排紙トレイ２２が、定着装置１６の搬送路下流に設けられている。
【００３１】
プリンター部の上方に配置されたリーダー部４０は、以下のような構成である。
【００３２】
リーダー部４０は、フルラインタイプのＣＣＤ読み取り手段４１と照明手段４２、レンズ４３がガイドレール４４に沿って付図示の駆動手段によって原稿台ガラス４５上に載置された原稿Ｇ（図２）をスキャンすることによって画像を読み取り、デジタル信号に変換した後に、プリンター部３０で画像記録を行ったり、ファクシミリとしてデータを転送する等の動作を行う。
【００３３】
また、原稿台ガラス４５上の原稿を押さえる開閉可能な原稿圧着板４６の上面には第二の記録用紙積載手段である上方排紙トレイ４６ａが形成されている。
【００３４】
リーダー部４０の下部には、画像形成した記録用紙Pを、画像形成部の上面に設けられた記録用紙積載手段と画像読み取り部の上部に設けられた記録用紙積載手段とに選択的に積載する切り替え手段を構成する搬送路切り替え装置６1と、搬送路切り替え装置６１から搬送される記録用紙を上方排紙トレイ４６ａに搬送するためのリーダー部搬送装置６０が設けられている。
【００３５】
搬送路切り替え装置６１は、リーダー部４０の下部に設けられた回動中心６１ａを中心として付図示の駆動手段によって図１の状態と、図２の状態に回動移動可能に構成されている。
【００３６】
搬送路切り替え装置６１には、図１の状態の時に、排紙ローラ対２１の下流部に搬送ローラ対６２が配置され、その下流には記録用紙Pをリーダー部搬送装置６０の入り口に設けられたリーダー部搬送ローラ対６４に搬送するための搬送路切り替えガイド６３が設けられている。
【００３７】
リーダー部搬送装置６０はリーダー部４０の下部手前に取り付けられ、搬送路切り替え装置６１に設けられている搬送路切り替えガイド６３の下流部出口にリーダー部搬送ローラ対６４を設けリーダー部搬送路６５によって案内された記録用紙Pをリーダー部排紙ローラ対６６へと導く。
【００３８】
次に、上記した画像形成部による画像形成動作について説明する。
【００３９】
画像形成開始信号が発せられると、所定のプロセススピードで回転駆動される各プロセスキット１Ｙ，１Ｍ，１Ｃ，１Ｂｋの各感光ドラム２ａ，２ｂ，２ｃ，２ｄは、それぞれ一次帯電器３ａ，３ｂ，３ｃ，３ｄによって一様に負極性に帯電される。そして、露光装置は、外部から入力されるカラー色分解された画像信号をレーザー発光素子から照射しポリゴンレンズ、反射ミラー等を経由し各感光ドラム２ａ，２ｂ，２ｃ，２ｄ状に各色の静電潜像を形成する。
【００４０】
そして、まず感光ドラム２ａ上に形成された静電潜像に、感光ドラム２ａの帯電極性（負極性）と同極性の現像バイアスが印加された現像器４ａによりイエローのトナーを付着させて、トナー像として可視像化する。このイエローのトナー像は、感光ドラム２ａと転写ローラ５ａ間の一次転写部にて一次転写バイアス（トナーと逆極性（正極性））が印加された転写ローラ５ａにより、回転（移動）している中間転写ベルト８上に一次転写される。
【００４１】
イエローのトナー像が転写された中間転写ベルト８は画像形成部１Ｍ側に回転（移動）される。そして、プロセスキット１Ｍにおいても、前記同様にして感光ドラム２ｂに形成されたマゼンタのトナー像が、中間転写ベルト８上のイエローのトナー像上に重ね合わせて、一次転写部にて転写される。
【００４２】
この時、各感光体ドラム２上に残留した転写残トナーは、ドラムクリーナ装置６ａ、６ｂ、６ｃ、６ｄに設けられたクリーナブレード等により掻き落とされ回収される。
【００４３】
以下、同様にして、中間転写ベルト８上に重畳転写されたイエロー、マゼンタのトナー像上にプロセスキット１Ｃ，１Ｂｋの感光ドラム２ｃ，２ｄで形成されたシアン、ブラックのトナー像を各一次転写部にて順次重ね合わせて、フルカラーのトナー像を中間転写ベルト８上に形成する。
【００４４】
そして、中間転写ベルト８上のフルカラーのトナー像先端が二次転写対向ローラ１０と二次転写ローラ１２間の二次転写部に移動されるタイミングに合わせて、給紙カセット１７は手差しトレイ２０から選択されて搬送パス１８を通して給紙される記録用紙（被転写材）Ｐが、レジストローラ１９により二次転写部に搬送される。二次転写部に搬送された記録用紙Ｐに、二次転写バイアス（トナーと逆極性（正極性））が印加された二次転写ローラ１２によりフルカラーのトナー像が一括して二次転写される。
【００４５】
フルカラーのトナー像が形成された記録用紙Ｐは、定着装置１６に搬送されて、定着ローラ１６ａと加圧ローラ１６ｂ間の定着ニップ部でフルカラーのトナー像を加熱、加圧して記録用紙Ｐ表面に熱定着し、記録用紙Pへの画像記録を完了させる。
【００４６】
中間転写ベルト８上に残った二次転写算トナー等は、ベルトクリーニング装置１３によって除され回収する。
【００４７】
上記の動作が、リーダー部４０による画像読み込みを行わないプリンター部３０のみでの画像記録動作の場合（例えば、プリンターとしての画像記録や、FAX受信としての画像記録の場合）は、以下のような動作を続ける。
【００４８】
付図示の駆動手段によって、搬送路切り替え装置６１を、図１の状態とし、排紙ローラ対２１から排出される記録用紙Ｐを、搬送路切り替え装置６１に設けられている搬送ローラ対６２に搬送する。搬送ローラ対６２で搬送される記録用紙Ｐは、搬送路切り替えガイド６３に案内され、リーダー部搬送装置６０に設けられているリーダー部搬送ローラ対６４に搬送される。リーダー部搬送装置６０に搬送された記録用紙Ｐは、リーダー部搬送ローラ対６４によって、リーダー部搬送路６５を搬送され、リーダー部排紙ローラ対６６によって、原稿圧着板４６の上面に設けられている第二の記録用紙積載手段である上方排紙トレイ４６ａ上に排紙積載される。（図１におけるＰ1）
また、リーダー部４０の原稿台ガラス４５に原稿Ｇを積置して画像を読み込みながらプリンター部での画像記録動作を行う場合（複写機としての画像記録動作）の場合は、以下のような動作となる。
【００４９】
原稿台ガラス４５上に積置された原稿Ｇの画像情報を、フルラインタイプのＣＣＤ読み取り手段４１と照明手段４２、レンズ４３によって読み取り、その画像情報に基づいて、プリンター部で前記の記録用紙Ｐに画像記録動作を行う。
【００５０】
このとき、搬送路切り替え手段６１は、付図示の駆動手段によって図２の状態になり、排紙ローラ対２１から排紙される記録済みの記録用紙Ｐ２を、プリンター部３０の上面に設けられている第一の記録用紙積載手段である中央部排紙トレイ２２上に排出積載する。
【００５１】
記録動作終了後に、ユーザーが、リーダー部４０を回動中心５１を中心として上方に開放して、図３の状態にして、排紙トレイ２２に積載された記録用紙Ｐ２を取り出す。
【００５２】
この様に、リーダー部４０を使用しないプリンター部３０のみでの画像記録を行うプリンターやＦＡＸ受信として動作を行う場合には、本体の上面部であるリーダー上面の排紙トレイ４６ａに記録用紙を排出積載することで、ユーザーが記録用紙の確認および取り出しを行いやすくすることが出来る。
【００５３】
リーダー部４０による画像読み込みを行いつつ画像記録を行う複写機のような動作を行う場合には、原稿台ガラス４５上へ原稿Ｇを積置するために原稿圧着板４６の開閉動作が必要になるとともに、原稿台ガラス上の決められた位置に正確に積置する必要がある。このため、原稿圧着板上の排紙トレイ４６ａ上に記録用紙Pを排出すると原稿Gの交換毎に、記録用紙P２を取り出さなければならず、ユーザーの手を煩わせると共に時間も係ってしまう。
【００５４】
そのため、リーダー部４０による画像読み込み動作を伴う画像記録動作を行う場合（複写機として使用する場合）は、記録用紙Pをプリンター部上部の排紙トレイ２２上に排出し、本体上面は原稿の取り扱いをするための空間とする。
【００５５】
プリンター部３０の上面の排紙トレイ２２に排紙積載された記録用紙P２は、ユーザーにとって目視しにくい部分にあるが、原稿を扱いつつ複写機として使用する場合は、ユーザーが原稿を積置しスタートボタンを押す等装置を直接操作して画像記録を行うため、画像記録終了後、排紙トレイ２２上に記録用紙P２が排出されていることは認識済みであることになるため、プリンターやＦＡＸ受信として用いる場合のように原稿が上面のトレイに排出積載されていなくとも問題とは成らず、リーダー部４０を移動可能に構成することで、リーダー部４０と一体で搬送路切り替え手段６１も移動するため、第一の排紙トレイ２２上に排紙積載されている記録用紙P２に対して邪魔なものが無く、ユーザーが行う取り出し動作も容易に行うことが出来る。
【００５６】
また、プリンター部３０とリーダー部４０が、搬送路手段分の空間のみを介して上下に配置することが出来るため、装置本体の高さを低くした省スペースな画像記録装置になる。
【００５７】
この様に、装置の使用形態にあわせて、記録用紙の排紙積載するトレイを選択切り替えることで、各々の状態に応じて最適な操作性を持つ画像記録装置とすることが出来る。
【００５８】
また、排紙積載手段と切り替え手段をさらに設け必要に応じて、記録用紙の排紙積載手段を選択しても良い。
【００５９】
（実施例２）
本発明の第二の実施例の説明を図４、図５を用いて行う。
【００６０】
図４、図５は、本発明を実施した画像記録装置の断面図である。
【００６１】
画像形成に関する構成、動作等は第一の実施例と同様なので、同様の動作、作用を行うものは、同一の番号をつけ説明を省略する。
【００６２】
本実施例では、図４で示す図面視側を装置正面としている。
【００６３】
また、リーダー部４０は、画像形成部の上面に設けられた記録用紙積載手段と画像読み取り部の上部に設けられた記録用紙積載手段とに選択的に積載する切り替え手段である回動アーム７１の回動によって、プリンター部３０に対する位置を変えることが出来るようになっている。
【００６４】
回動アーム７１は、プリンター部奥側左右に二個設けられ、プリンター部３０側の回動中心７１ａとして付図示の駆動手段により回動し、他端部の回動中心７１ｂ部で取り付いているリーダー部４０を図４で示す状態と、図５で示す状態の２つの位置とすることが出来、リーダー部４０がプリンター部３０に対して移動可能な構成をとっている。
【００６５】
本画像形成装置を、プリンターやＦＡＸ受信として用いリーダー部による画像読み込みを行わない場合は、回動アーム７１によってリーダー部４０を図４で示す状態にする。
【００６６】
この状態では、リーダー部４０が、プリンター部３０の上部に設けられた排紙トレイ２２の上に位置し、リーダー部４０の上部に設けられた第二の排紙トレイ４６ａが、排紙ローラ対２１の下流部に位置し、排紙された記録用紙Ｐ１が排紙積載される。
【００６７】
リーダー部４０の原稿台ガラス４５上に原稿を積置する必要がない画像形成動作の場合は、この様に記録用紙Pを、装置本体の上面に排紙積載することで、記録用紙の確認、取り出し等が優れた操作性の良い装置となる。
【００６８】
また、本画像形成装置を、複写機として用いリーダー部で画像読み込みをしつつ画像記録を行う場合は、付図示の駆動手段により回動アーム７１を図５に示す矢印Ｃ方向に回動させて、リーダー部４０を図５で示す状態にする。
【００６９】
この状態では、リーダー部４０は排紙ローラ２１よりも上部に位置し、第一の排紙トレイ２２とリーダー部４０の間に空間を設け、排紙ローラ２１から排紙される記録用紙Ｐ２が、プリンター部３０の上部に設けられた第一の排紙トレイ２２に排紙積載される。
【００７０】
リーダー部４０の原稿台ガラス４５上に原稿を積置して画像形成動作を行う場合は、この様に原稿の積置における操作性を優先して、単に取り出すだけでよい記録用紙P２は、排紙トレイ２２上に排紙積載し、リーダー部４０を使用して画像記録動作全体の操作性を向上させる。
【００７１】
このような構成をとることで、高い頻度で用いられるプリンターやFAX受信としての画像記録時には装置本体の高さを非常に低くすることが出来るとともに、原稿を扱う複写機としての画像記録時にも高い操作性を保つことが出来る。
【００７２】
本実施例では、図５の状態でリーダー部下部と第一の排紙トレイの間に適当な空間を確保し、ユーザーが記録用紙を取り出せるようにしているが、この空間が狭く操作性が悪い場合などは、リーダー部をさらに回動移動等できるような構成にして、記録用紙を取り出せるよう構成しても良い。
【００７３】
第一および第二の実施例では、リーダー部上部の原稿圧着板の上面を第二の排紙トレイとしたが、自動原稿送り装置等を原稿圧着板の変わりに取り付け、自動原稿送り装置の原稿積置台等に記録用紙を排出しても良い。
【００７４】
また、第一、第二の実施例では、電子写真方式の画像記録装置を用いて説明したが、その他の例えばインクジェット方式の画像記録方式等を用いた画像記録装置に用いても同様の効果を得ることが出来る。
【図面の簡単な説明】
【００７５】
【図１】第一の実施例における画像形成装置の要部断面図。
【図２】第一の実施例における画像形成装置の要部断面図。
【図３】第一の実施例における画像形成装置の要部断面図。
【図４】第二の実施例における画像形成装置の要部断面図。
【図５】第二の実施例における画像形成装置の要部断面図。
【図６】従来の画像形成装置の要部断面図。
【符号の説明】
【００７６】
１  プロセスキット
２２  第一の排紙トレイ
３０  プリンター部
３１  中間転写ユニット
４０  リーダー部
４６ａ  第二の排紙トレイ
６０  リーダー部搬送装置
６１  搬送路切り替え手段
７１  回動アーム
【図１】
2006151618.tif 000003
【図２】
2006151618.tif 000004
【図３】
2006151618.tif 000005
【図４】
2006151618.tif 000006
【図５】
2006151618.tif 000007
【図６】
2006151618.tif 000008